(57)【要約】【課題】リチウムイオン電池モジュールの発火を抑制する。【解決手段】リチウムイオン電池モジュールは、複数の電池セルが同じ方向を向いて互いに平行に同一平面内に配列された状態で共通の熱伝導性のセルボックス内に収容されてなるセルユニットを備えたものである。前記セルユニットの前記セルボックスは前記電池セルのそれぞれを個別に収容するセル収容部を有し、それぞれの前記電池セルの熱が前記セルボックスに伝達されるように前記セル収容部の内面が前記電池セルのセルボディと接している。【選択図】  図１
2019091628.tif 000002
【特許請求の範囲】
【請求項１】
複数の電池セルが同一方向を向いて互いに平行に同一平面内に配列された状態で共通の熱伝導性のセルボックス内に収容されてなるセルユニットを備え、
前記セルボックスは前記電池セルのそれぞれを個別に収容するセル収容部を有し、それぞれの前記電池セルの熱が前記セルボックスに伝達されるように前記セル収容部の内面が前記電池セルのセルボディと接している、リチウムイオン電池モジュール。
【請求項２】
前記セルユニットにおいて互いに隣り合う前記電池セルのセルボディの間に、それらの前記電池セルのセルボディ間の熱伝達効率を低下させるための空気層又は断熱層が形成されている、請求項１に記載のリチウムイオン電池モジュール。
【請求項３】
隣り合う前記セルユニットの互いの前記電池セルの向きが逆になるように複数の前記セルユニットが同一平面内に配列されており、
互いに隣り合う２つの前記セルユニットのすべての前記電池セルを電気的に接続するための接点板が設けられ、前記接点板により、同一の前記セルユニットのすべての前記電池セルが互いに並列に接続され、隣り合う２つの前記セルユニットの前記電池セルが互いに直列に接続されている、請求項１又は２に記載のリチウムイオン電池モジュール。
【請求項４】
前記電池セルの少なくとも一方の面側が絶縁性カバーで覆われており、前記電池セルのそれぞれの一端に対応する位置に前記電池セルの前記一端をそれぞれ露出させる開口部が設けられており、
隣り合う前記セルユニットの前記セルボックスの外面同士が互いに接触しないように構成されている、請求項３に記載のリチウムイオン電池モジュール。
【請求項５】
複数の電池セルがそれぞれ互いに空間的に分離された複数のセル収容部に収容されてなるセルユニットを備え、
前記セルユニットの前記セル収容部のそれぞれが断熱性の封止部材を隔てて共通の排気路に面しており、
熱暴走の発生した前記電池セルから高温ガスが噴出して当該電池セルを収容する前記セル収容部内の圧力が上昇したときに、当該セル収容部と前記排気路との間に介在する前記封止部材が開口して当該セル収容部と前記排気路とを連通させるように構成され、前記高温ガスが前記排気路を通じて外部へ排気されるように構成されている、リチウムイオン電池モジュール。
【請求項６】
前記排気路をなす壁面の一部が熱伝導性材料からなる放熱板により構成されている、請求項５に記載のリチウムイオン電池モジュール。
【請求項７】
前記セルユニットは、複数の電池セルが同じ方向を向いて互いに平行に同一平面内に配列された状態で共通のセルボックス内に収容され、当該セルユニットの少なくとも一方の面側が絶縁性カバーで覆われているものであり、
前記絶縁性カバーは、前記電池セルのそれぞれの一端に対応する位置に前記電池セルの前記一端をそれぞれ露出させる開口部をもち、
前記封止部材は、前記絶縁性カバーの上面を覆って前記開口部を封止する断熱性シートからなり、
前記断熱性シートの前記開口部のそれぞれに対応する位置に、前記セル収容部内の圧力が上昇したときに破断する切込みが設けられている、請求項５又は６に記載のリチウムイオン電池モジュール。
【発明の詳細な説明】
【技術分野】
【０００１】
本発明は、リチウムイオン電池モジュールの構造に関するものである。
【背景技術】
【０００２】
近年、ノートパソコンやスマートフォンといった製品の電力供給源としてリチウムイオン電池モジュールがよく利用されているが、電池モジュールからの発火による事故が問題となっている。電池モジュールからの発火は、主に電池モジュールの電池セル内で陽極と陰極が短絡し、それによって電池セルの異常温度上昇を経て熱暴走が発生することが原因となっている。
【０００３】
そこで、電池セルの熱暴走を抑制するために種々の対策が提案されている（特許文献１を参照。）。しかし、電池セルの内部構造の改善等によって熱暴走を確実に防止することは困難である。
【先行技術文献】
【特許文献】
【０００４】
【特許文献１】特開２０１７−１２３３２４号公報
【発明の概要】
【発明が解決しようとする課題】
【０００５】
本発明は、電池セルの内部短絡に起因した熱暴走、又は熱暴走の連鎖や発火を抑制することができる構造を有するリチウムイオン電池モジュールを提供することを目的とするものである。
【課題を解決するための手段】
【０００６】
本発明は、リチウムイオン電池モジュールの熱暴走、又は熱暴走の連鎖や発火を抑制するための形態として２つの形態を有する。第１の形態は、電池セルの熱暴走を抑制するという観点からなされたものであり、第２の形態は、リチウムイオン電池モジュール内の一部の電池セルで熱暴走が発生してもその熱暴走が他の電池セルに連鎖することを抑制するという観点からなされたものである。
【０００７】
本発明に係るリチウムイオン電池モジュールの第１の形態は、複数の電池セルが同一方向を向いて互いに平行に同一平面内に配列された状態で共通の熱伝導性のセルボックス内に収容されてなるセルユニットを備えたものであって、前記セルボックスは前記電池セルのそれぞれを個別に収容するセル収容部を有し、それぞれの前記電池セルの熱が前記セルボックスに伝達されるように前記セル収容部の内面が前記電池セルのセルボディと接している。ここで、「熱伝導性のセルボックス」とは、例えばアルミニウムなど、熱伝導率の良好な素材で構成されたセルボックスであることを意味する。
【０００８】
すなわち、本発明の上記第１の形態では、熱伝導性のセルボックスに複数の電池セルを収容して電池セルよりも大きな熱容量をもつ一体のセルユニットとし、セルユニット内の一部の電池セルの温度が上昇したときにセルボックスでその熱を吸収し、一部の電池セルの急激な温度上昇を抑制する。
【０００９】
ところで、一部の電池セルの温度が上昇した場合、その電池セルの近傍に収容されている電池セルがその熱の影響を受けて熱暴走する可能性も考えられる。そこで、上記第１の形態では、前記セルユニットにおいて互いに隣り合う前記電池セルのセルボディの間に、それらの前記電池セルのセルボディ間の熱伝達効率を低下させるための空気層又は断熱層が形成されていてもよい。そうすれば、特定の電池セルの温度が上昇したときに、その電池セルと隣り合う電池セルがその熱の影響を受けて熱暴走することが抑制される。
【００１０】
上記第１の形態では、隣り合う前記セルユニットの互いの前記電池セルの向きが逆になるように複数の前記セルユニットが同一平面内に配列されており、互いに隣り合う２つの前記セルユニットのすべての前記電池セルを電気的に接続するための接点板が設けられ、前記接点板により、同一の前記セルユニットのすべての前記電池セルが互いに並列に接続され、隣り合う２つの前記セルユニットの前記電池セルが互いに直列に接続されているようにしてもよい。そうすれば、複数のセルユニットを平面的に配列しながらそれらのセルユニットを直列に接続して、用途に応じた電圧供給能力を提供することが可能になる。
【００１１】
上記の場合の好ましい実施態様では、前記セルユニットの少なくとも一方の面側が絶縁性カバーで覆われており、前記絶縁性カバーは、前記電池セルのそれぞれの一端に対応する位置に前記電池セルの前記一端をそれぞれ露出させる開口部をもち、隣り合う前記セルユニットの前記セルボックスの外面同士が互いに接触しないように構成されている。
【００１２】
本発明に係るリチウムイオン電池モジュールの第２の形態は、複数の電池セルがそれぞれ互いに空間的に分離された複数のセル収容部に収容されてなるセルユニットを備え、前記セルユニットの前記セル収容部のそれぞれが開口部を有する接点板、断熱性の封止部材を隔てて共通の排気路に面しており、熱暴走の発生した前記電池セルから高温ガスが噴出して当該電池セルを収容する前記セル収容部内の圧力が上昇したときに、当該セル収容部と前記排気路との間に介在する前記封止部材が開口して当該セル収容部と前記排気路とを連通させるように構成され、前記高温ガスが前記排気路を通じて外部へ排気されるように構成されている。
【００１３】
すなわち、本発明の上記第２の形態では、セル収容部のそれぞれが開口部を有する接点板、断熱性の封止部材を隔てて共通の排気路に面するようにし、熱暴走の発生した電池セルから高温ガスが噴出して当該電池セルを収容するセル収容部内の圧力が上昇したときにそのセル収容部と排気路との間に介在する封止部材が開口し、セル収容部内の高温ガスが排気路を通じて外部へ排気される。このとき、他のセル収容部と排気路との間には断熱性の封止部材が開口することなく介在しており、排気路を流れる高温ガスによる影響が他のセル収容部内に収容されている電池セルに及ばないように構成されている。
【００１４】
上記第２の形態では、前記排気路をなす壁面、又は壁面の一部が熱伝導性材料からなる放熱板により構成されていることが好ましい。そうすれば、排気路を流れる高温ガスの熱を放熱板によって冷却することができ、発火のリスクを下げる事ができる。更には、放熱板の端部を折り曲げるなどして排気通路を狭くし、モジュール外部からの酸素流入を制限する事で、発火のリスクを下げる事ができる。
【００１５】
また、前記セルユニットが、複数の電池セルが同一方向を向いて互いに平行に同一平面内に配列された状態で共通のセルボックス内に収容され、当該セルユニットの一方の面側が絶縁性カバーで覆われているものである場合、前記絶縁性カバーにおいて前記電池セルのそれぞれの一端に対応する位置に前記電池セルの前記一端をそれぞれ露出させる開口部を設け、前記絶縁性カバーの上面を覆って前記開口部を封止する断熱性シートを前記封止部材として用い、前記断熱性シートの前記開口部のそれぞれに対応する位置に、前記セル収容部内の圧力が上昇したときに破断する切込みを設けることによって、上記第２の形態を実現することができる。
【発明の効果】
【００１６】
本発明の上記第１の形態では、熱伝導性のセルボックスに複数の電池セルを収容して電池セルよりも大きな熱容量をもつ一体のセルユニットとし、一部の電池セルの温度が上昇したときにセルボックスでその熱を吸収することで、一部の電池セルの急激な温度上昇が抑制されるので、電池セルの熱暴走の発生が抑制される。
【００１７】
本発明の上記第２の形態では、熱暴走の発生した電池セルから高温ガスが噴出して当該電池セルを収容するセル収容部内の圧力が上昇したときにそのセル収容部と排気路との間に介在する封止部材が開口し、セル収容部内の高温ガスが排気路を通じて外部へ排気される一方で、他のセル収容部と排気路との間には断熱性の封止部材が開口することなく介在し、排気路を流れる高温ガスによる影響が他のセル収容部内に収容されている電池セルに及ばないように構成されているので、一部の電池セルで熱暴走が発生しても他の電池セルで連鎖的に熱暴走が発生することが抑制される。さらに、前記排気路をなす壁面、又は壁面の一部を熱伝導性材料からなる放熱板により構成する事で、発火のリスクを下げる事ができる。
【図面の簡単な説明】
【００１８】
【図１】電池セルの熱暴走を抑制する構造を有するセルユニットの一実施例を示す図であり、（Ａ）は斜視図、（Ｂ）は（Ａ）のＸ−Ｘ位置における断面図である。
【図２】同実施例のセルユニットのセルボックスを示す図であり、（Ａ）は斜視図、（Ｂ）は（Ａ）のＹ−Ｙ位置における断面図、（Ｃ）は裏面側の斜視図である。
【図３】セルボックスの構造の他の例を示すための図であり、（Ａ）は溝によって形成される空気層を示す断面図であり、（Ｂ）及び（Ｃ）はそれぞれ異なるセル収容部の配置に対する溝の位置を示す平面図である。
【図４】セルボックスの構造のさらに他の例を示すための図であり、（Ａ）は孔によって形成される空気層（断熱層）を示す断面図であり、（Ｂ）及び（Ｃ）はそれぞれ異なるセル収容部の配置に対する孔の位置を示す平面図である。
【図５】２つのセルユニットを平面的に配置して直列接続する実施例を示す図であり、（Ａ）は斜視図、（Ｂ）は断面図である。
【図６】多数のセルユニットを平面的に配置して直列接続する実施例を示す図であり、（Ａ）は斜視図、（Ｂ）はそれによって実現される電池モジュール内の回路構成図である。
【図７】電池セルの熱暴走の連鎖を抑制する構造を有するリチウムイオン電池モジュールの一実施例を示す図であり、（Ａ）は斜視図、（Ｂ）は断面図である。
【図８】同実施例の内部構造を示す斜視図である。
【図９】同実施例の分解斜視図である。
【図１０】同実施例により熱暴走の連鎖が抑制される概念を説明するための概念図である。
【図１１】同実施例の断熱性シートの切り込みの他の例を示す図であり、（Ａ）は断熱性シートの平面図、（Ｂ）は開口した断熱性シートからの高温ガスの流れ方向を示す概念図である。
【図１２】角型の電池セルを用いて熱暴走の連鎖を抑制する構造のリチウムイオン電池モジュールを構成する概念を説明するための図であり、（Ａ）は角型の電池セルの斜視図であり、（Ｂ）、（Ｃ）はリチウムイオン電池モジュールを構成する途中の段階を示す斜視図である。
【図１３】（Ａ）は図１２（Ｂ）、（Ｃ）によって構成されたセルユニットの構造を示す斜視図であり、（Ｂ）はその構造によって熱暴走の連鎖が抑制される概念を説明するための図である。
【図１４】ポリマー電池セルを用いて熱暴走の連鎖を抑制する構造のリチウムイオン電池モジュールを構成する概念を説明するための図であり、（Ａ）はポリマー電池セルの斜視図であり、（Ｂ）はリチウムイオン電池モジュールを構成する途中の段階を示す斜視図であり、（Ｃ）はその構造によって熱暴走の連鎖が抑制される概念を説明するための図である。
【図１５】直列に接続したセルユニットの構造の他の例を示す断面図である。
【発明を実施するための形態】
【００１９】
以下、本発明に係るリチウムイオン電池モジュールの実施形態について説明する。
【００２０】
図１及び図２に、リチウムイオン電池モジュールを構成するセルユニットの構造の一例を示す。
【００２１】
セルユニット１は複数のセル収容部４を有するセルボックス２と、各セルボックス２内にそれぞれ収容された複数の電池セル１０と、セルボックス２の外面の一部を覆うようにセルボックス２に取り付けられた絶縁性カバー１４と、を備えている。
【００２２】
セルボックス２のセル収容部４は、セルボックス２の一方の面側に電池セル１０を挿し込むための開口をもつ凹部である。セル収容部４の底面には、セル収容部４の内径よりも小さい内径の開口部８が設けられている。電池セル１０は一端に陽極１２を有する円柱型セルであり、各電池セル１０は陽極１２がセル収容部４の開口側（図１（Ｂ）において上側）を向くようにして、セル収容部４内に嵌め込まれている。開口部８は各電池セル１０の陰極を露出させるためのものである。
【００２３】
絶縁性カバー１４は、セルボックス２の外面のうちセル収容部４の開口が設けられている面側、すなわち電池セル１０の陽極側を覆うように、セルボックス２に取り付けられている。以下では、セルユニット１のうち、絶縁性カバー１４で覆われている側を「陽極側」、絶縁性カバー１４からセルボックス２が露出している側を「陰極側」と称する。
【００２４】
絶縁性カバー１４には、電池セル１０の陽極を露出させるための開口部１６が設けられている。開口部１６の内径はセル収容部４の内径よりも小さく設計されている。
【００２５】
セルボックス２は、例えばアルミニウムなど良好な熱伝導性を有する金属材料により構成されている。絶縁性カバー１４は、例えばシリカなどの絶縁性材料により構成されている。
【００２６】
セルボックス２のセル収容部４の内径は電池セル１０のセルボディの外径と略同一に設計されており、電池セル１０とセルボックス２との間で良好に熱伝達がなされるように構成されている。これにより、一部の電池セル１０の温度が上昇したときに、その電池セル１０の熱をセルボックス２の全体で吸収し、一部の電池セル１０が突出して温度上昇することが抑制される。これにより、電池セル１０の熱暴走が抑制される。
【００２７】
また、図３に示されているように、セル収容部４の内周面のうち隣接するセル収容部４との間に介在する壁面に溝２２を設け、互いに隣り合うセル収容部４に収容された電池セル１０の間に空気層が形成されるようにしてもよい。これにより、一部の電池セル１０の温度が上昇したときにその近傍の電池セル１０への影響を小さくすることができる。
【００２８】
図３の構造と同様の効果は、図４に示されているように、互いに隣接するセル収容部４の間の隔壁に穴２４を設けることによっても得られる。そのような穴２４内に断熱性材料を充填するなどして、互いに隣り合うセル収容部４に収容された電池セル１０の間に断熱層が形成されるようにしてもよい。
【００２９】
この実施例のリチウムイオン電池モジュールは、図５に示されているように、２つのセルユニット１を互いに陽極側と陰極側の向きが互いに反対になるようにして同一平面上に並べ、一方のセルユニット１の陽極側の面に開口部１６を介して露出した電池セル１０の陽極と他方のセルユニット１の陰極側の面に開口部８を通じて露出した電池セル１０の陰極とを、一枚の平板状の接点板２６を用いて導通させることで、複数の電池セル１０の並列接続からなる２つのセルユニット１を直列に接続することができる。接点２６の各開口部８、１６に相当する位置には、電池セル１０の陽極１２又は陰極と接点をとるための接点端子２８が設けられている。
【００３０】
図５のように平面的に並べられたセルユニット１のうち一方のセルユニット１のセルボックス２が露出している部分には他方のセルユニット１の絶縁性カバー１４が当接するようになっており、互いのセルボックス２同士が接触して電気的に導通することがないように構成されている。
【００３１】
上記の配列及び接続方法を用いれば、図６に示されているように、より多数のセルユニット１を平面的に並べて直列に接続することができる。平面的に配列されるセルユニット１の個数は、必要とされる供給電圧の大きさによって決定されるものである。
【００３２】
なお、以上において説明した実施例では、セルユニット１の陽極側にのみ絶縁性カバー１４が設けられているが、本発明はこれに限定されるものではなく、図１５に示されているように、陰極側にも絶縁性カバー１４’を設けてもよい。この場合、絶縁性カバー１４’に、電池セル１０の陰極を露出させるための開口部１６’を設けることが好ましい。
【００３３】
次に、電池セル１０の熱暴走の連鎖を抑制する構造を有するリチウムイオン電池モジュールの一実施例について説明する。
【００３４】
図７に示されているように、この実施例のリチウムイオン電池モジュール１００は、図６のように、平面的に配列されて互いに直列に接続された複数のセルユニット１が外枠１０２と２枚の放熱板１０４からなる筐体内に収容されている。なお、セルユニット１の個数はいくらでもよく、１つのみであってもよい。
【００３５】
図８に示されているように、セルユニット１の陽極側の面及び陰極側の面に断熱性シート１０６が封止部材として貼られている。セルユニット１の陽極側の面と陰極側の面のそれぞれに設けられた開口部１６及び８は断熱性シート１０６によって封止されている。断熱性シート１０６としては、５００〜６００℃以上の耐熱性を有するシート状の部材、例えばシリカエアロゲルと繊維で構成されたシート状の素材であるＮＡＳＢＩＳ（パナソニック株式会社の製品）を用いることができる。この他、シリカクロス、グラスウール、グラスファイバーからなる部材を用いることもできる。
【００３６】
図９に示されているように、このリチウムイオン電池モジュール１００は、陽極側の面及び陰極側の面に断熱性シート１０６が貼られ外枠１０２の内側にはめ込まれたセルユニット１の陽極側と陰極側に２枚の放熱板１０４を固定して構成されている。
【００３７】
図７に示されているように、セルユニット１の陽極側の面及び陰極側の面に貼られた断熱性シート１０６と放熱板１０４との間には僅かな隙間が形成され、この隙間が外枠１０２と放熱板１０４との間に設けられた隙間（図示は省略）を介して筐体の外部へ通じる排気路１０８を構成する。排気路１０８を構成する隙間の間隔は、筐体の外部から空気が流入しにくいような寸法、例えば１０ｍｍ以下に設定されている。すなわち、セルユニット１に設けられた各セル収容部４は、断熱性シート１０６を隔てて排気路１０８に面している。
【００３８】
断熱性シート１０６は、セルユニット１の陽極側の面の開口部１６と排気路１０８との間の位置に切り込み１１０を備えている。切り込み１１０は、図１０に示されているように、熱暴走の発生した電池セル１０から噴出する高温ガスによってその電池セル１０を収容するセル収容部４内の圧力が上昇したときに断熱性シート１０６を開口させるためのものである。熱暴走の発生した電池セル１０を収容するセル収容部４の位置で断熱性シート１０６が開口すると、電池セル１０から噴出した高温ガスが排気路１０８を通じて筐体の外部へ排出される。他のセル収容部４は依然として断熱性シート１０６によって封止されているので、熱暴走の発生していない電池セル１０が高温ガスに曝されることが防止され、熱暴走の連鎖が抑制される。
【００３９】
断熱性シート１０６は、例えば、接着剤によって接点板２６に接着することができる。この場合、セル収容部４内の圧力の上昇によって断熱性シート１０６を開口させやすくするために、切り込み１１０が設けられている部分は接着剤による接着がなされないことが好ましい。ただし、断熱性シート１０６は必ずしも接点板２６に接着されている必要はなく、セルユニット１の陽極側の面及び陰極側の面の開口部８，１６を封止するように設けられていればいかなる態様であってもよい。例えば、断熱性シート１０６は、陽極側の絶縁性カバー１４に（陰極側カバー１４’が設けられている場合は陰極側カバー１４’にも）固定されていてもよい。
【００４０】
なお、図８及び図９では、断熱性シート１０６には十字型の切り込み１１０が設けられているが、切り込み１１０の形状は特に限定されない。また、図１１に示されているように、電池セル１０で熱暴走が発生したときにセル収容部４から流出する高温ガスがなるべくセル収容部４の設けられていない方向へ誘導する向きに断熱性シート１０６が開口するように、切り込み１１０の形状を工夫してもよい。
【００４１】
なお、図７から図１０に示した実施例では、図１から図６を用いて説明したセルユニット１が用いられているが、本発明に係るリチウムイオン電池モジュールは、必ずしもこれに限定されるものではない。例えば、セルユニットを構成するセルボックスは高熱伝導性でなくてもよい。
【００４２】
また、本発明による、熱暴走の連鎖を抑制するためのリチウムイオン電池モジュールの構造は、図１２（Ａ）に示されているような角型の電池セル２００に対しても適用することができる。例えば、複数の電池セル２００を断熱性材料からなる包装容器２０２内に入れた状態で（図１２（Ｂ）を参照）、共通のセルボックス２０４に同じ向きに収容してセルユニットを構成する（図１２（Ｃ）を参照）。
【００４３】
この実施例では、包装容器２０２がセル収容部及び封止部材を構成する。包装容器２０２の素材としては、５００〜６００℃以上の耐熱性を有するシート状の部材、例えばシリカエアロゲルと繊維で構成されたシート状の素材であるＮＡＳＢＩＳ（パナソニック株式会社の製品）を用いることができる。この他、シリカクロス、グラスウール、グラスファイバーからなる部材を用いることもできる。
【００４４】
電池セル２００は一端側に電極や防爆弁が設けられており、電池セル２００内で熱暴走が発生したときは一端側の防爆弁から高温ガスが噴出する。そこで、図１３（Ａ）に示されているように、包装容器２０２の電池セル２００の一端側を例えば熱溶着などによって封止し、熱暴走の発生した電池セル２００からの高温ガスによって包装容器２０２内の圧力が急激に上昇したときに封止部分２０２ａが破断して包装容器２０２が開口するように構成する。
【００４５】
包装容器２０２の封止部分２０２ａと対向するように電池セル２００の配列方向に沿って放熱板２１２を配置して排気路を形成しておくことで、熱暴走の発生した電池セル２００からの高温ガスが排気路を通じて外部へ排出され、他の電池セル２００は断熱性の放送容器２０２によって高温ガスから保護される。これにより、電池セル２００の熱暴走の連鎖が抑制される。なお、図１３において、２０６は各電池セル２００の電極間を接続するためのケーブルであり、２０８，２１０はそのケーブル２０６の端部に設けられた端子である。
【００４６】
さらに、本発明による、熱暴走の連鎖を抑制するためのリチウムイオン電池モジュールの構造は、図１４（Ａ）に示されているような平板型のポリマー電池セル３００に対しても適用することができる。例えば、図１４（Ｂ）、（Ｃ）に示されているように、複数の電池セル３００を複数のセル収容部を有するセルボックス３０２内に個別に格納してセルユニットを構成する。セルユニットの各セル収容部の開口を断熱性シート３０４によって封止し、さらにその断熱性シート３０４と対向するように放熱板３０８を配置する。
【００４７】
断熱性シート３０４のセル収容部の開口の位置に切り込み３０６を設け、熱暴走の発生した電池セル３００からの高温ガスによってセル収容部内の圧力が上昇したときにその位置の断熱性シート３０４が開口するように構成する。断熱性シート３０４と放熱板３０８との間には僅かな隙間を空けておき、断熱性シート３０４の開口から流出した高温ガスを外部へ排気するための排気路を形成する。これにより、一部の電池セル３００で熱暴走が発生しても、他の電池セル３００が断熱性シート３０４によって高温ガスから保護され、熱暴走の連鎖が発生することが抑制される。
【００４８】
なお、断熱性シート３０４の素材として、５００〜６００℃以上の耐熱性を有するシート状の部材、例えばシリカエアロゲルと繊維で構成されたシート状の素材であるＮＡＳＢＩＳ（パナソニック株式会社の製品）を用いることができる。この他、シリカクロス、グラスウール、グラスファイバーからなる部材を用いることもできる。
【符号の説明】
【００４９】
１      セルユニット
２，２０４，３０２      セルボックス
４      セル収容部
８，１６      開口部
１０，２００，３００      電池セル
１２      陽極
１４      絶縁性カバー
２２      溝（空気層又は断熱層）
２４      孔（空気層又は断熱層）
２６      接点板
２８      接点端子
１００      リチウムイオン電池モジュール
１０２      外枠
１０４，２１２，３０８      放熱板
１０６，３０４      断熱シート（封止部材）
１０８      排気路
１１０，３０６      切り込み
２０２      包装容器（封止部材）
【図１】
2019091628.tif 000003
【図２】
2019091628.tif 000004
【図３】
2019091628.tif 000005
【図４】
2019091628.tif 000006
【図５】
2019091628.tif 000007
【図６】
2019091628.tif 000008
【図７】
2019091628.tif 000009
【図８】
2019091628.tif 000010
【図９】
2019091628.tif 000011
【図１０】
2019091628.tif 000012
【図１１】
2019091628.tif 000013
【図１２】
2019091628.tif 000014
【図１３】
2019091628.tif 000015
【図１４】
2019091628.tif 000016
【図１５】
2019091628.tif 000017